(57)【要約】      （修正有） 【課題】鬼瓦の効用を再認識するとともに、従来は仕舞い込みがちだった御札・御守り等を一緒に保管し、より魔除け・厄除けの効力を発揮する守護保管具を提供する。【解決手段】従来の鬼瓦の製法を変えずに縮小した鬼面１を用い、更に祈祷された御札・御守りを保管できる収納溝３若しくは収納部を設けた。それによって室内でも守護神のシンボルとしての鬼瓦を取り入れることができ、御札・御守りに対する敬意の念をより深めることが可能となる。また、室内にあわせた設置方法として、壁掛け様式や立て掛け様式を両立し、壁面や柱、テーブルや床の間とあらゆる場所での設置の幅を広げた。【選択図】図１
0003149499.tif 000002
【実用新案登録請求の範囲】
【請求項１】
鬼瓦をモチーフとした鬼面を取り付けた額・短冊・置物・壁掛けに、祈祷・願掛けされた御札・御守りの類を収めることができる守護保管具。
【請求項２】
鬼面の後ろ若しくは周囲に御札・御守りの類が保管できる収納部を備えていることを特徴とした守護保管具。
【考案の詳細な説明】
【技術分野】
【０００１】
本考案は、御札・御守りの類を収納する機能を備え、鬼瓦を縮小した鬼面により構成される祈願用具に関するものである。
【背景技術】
【０００２】
鬼瓦は、古来から魔除け・厄除けの力があると考えられ、守護神的な役割を持って建築物の瓦屋根に用いられてきた。焼成段階で瓦を燻し、表面に炭素を主成分とする皮膜を作る燻し瓦製法をとっており、重厚で落ち着きある表情を作り上げている。
【考案の開示】
【考案が解決しようとする課題】
【０００３】
然しながら、魔除け・厄除け・御守りとしての鬼瓦を屋内で用いる場合、鬼瓦は建築物の一部である為に、その大きさや重量などから一般的ではないと考えられ、鬼瓦を用いた実用的な祈願用具の考案が成されていなかった。
【課題を解決するための手段】
【０００４】
本考案では、室内で使用可能な魔除け・厄除け・御守りとして、従来の鬼瓦を縮小し、鬼瓦本来のいぶし瓦製法を用いた鬼面を取り入れた、御札・御守りを保管するための収納部を装備した守護保管具を提供する。
【考案の効果】
【０００５】
従来は室内での使用が困難であった鬼瓦の、任意の場所への使用設置が容易となり、また保管するだけであった御札・御守りに鬼瓦を縮小した鬼面を纏わせることにより、守護するという意味合いを待たせ、より深い敬意を持たせ、信仰心を高めることが可能となる。
【考案を実施するための最良の形態】
【０００６】
鬼面を添付した板・額の一部に御札・御守りを保管する機能を持った収納部を設ける。
【０００７】
実施形態１
以下、図面に従って実施例を説明する。図１に示される短冊様式によるものの場合、短冊板２に収納溝３を設け、２に鬼面１を添付した形体で構成される。１には、表面に炭素を主成分とする皮膜を作る、鬼瓦の伝統的な製法の燻し瓦製法が施されている。２の素材が木材である場合、３は木工機械による切削加工で形成される。その後３に覆い被せる状態で２に１を添付することにより、御札・御守りを保護する収納部が形成される。御札・御守りが１よりも大きな場合については、図２の収納部７に見られる様に、２の背面に収納部を設け、そこへ御札・御守りを保管することとする。
【０００８】
図２は図１の背面図である。背面には壁掛け孔４が機械切削により設けられ、壁面に釘や金具を取り付け、４と連結させることにより、壁面に設置することが可能となる。また、床面に設置する場合においては自立孔５・自立棒６を用い、機械加工で２が貫通しない程度に孔開けした５に、設置する際適当な角度に傾く為の長さに切断された６を差し入れて使用する。
【０００９】
実施形態２
図３に見られるような額縁様式の場合、裏板９に間板８を貼り付け、８に覆い被さる状態で１を添付して収納部を形成している。その後収納部に御札・御守りを入れ１・８を取り付けた９を額１０に額装する。
【図面の簡単な説明】
【００１０】
【図１】実施形態１の正面の斜視図。
【図２】実施形態１の背面の斜視図。
【図３】実施形態１の上面図。
【図４】実施形態２の正面の斜視図。
【符号の説明】
【００１１】
１：鬼面、２：短冊板、３：収納溝
４：壁掛け孔、５：自立孔、６：自立棒、７：収納部
８：間板、９：裏板、１０：額
【図１】
0003149499.tif 000003
【図２】
0003149499.tif 000004
【図３】
0003149499.tif 000005
【図４】
0003149499.tif 000006
【手続補正書】
【提出日】平成21年1月22日(2009.1.22)
【手続補正１】
【補正対象書類名】実用新案登録請求の範囲
【補正対象項目名】全文
【補正方法】変更
【補正の内容】
【実用新案登録請求の範囲】
【請求項１】
短冊板正面に形成した収納溝の上に鬼瓦をモチーフとした鬼面を貼り付けて収納部を形成し、且、該短冊板の背面に断面コ字状の保持部材を貼り付けることで収納部を形成した、祈祷・願掛けされた御札・御守りの類を納める為の収納部を設けたことを特徴とする守護保管具。
【請求項２】
額の裏板に、切欠を有する間板を介して鬼瓦をモチーフとした鬼面を貼り付け、該間板の切欠部によって形成される隙間に、祈祷・願掛けされた御札・御守りの類を収める為の収納部を形成したことを特徴とする守護保管具。
【手続補正３】
【補正対象書類名】明細書
【補正対象項目名】０００５
【補正方法】変更
【補正の内容】
【０００５】
従来は室内での使用が困難であった鬼瓦の、任意の場所への使用設置が容易となり、また保管するだけであった御札・御守りに鬼瓦を縮小した鬼面を纏わせることにより、守護するという意味合いを持たせ、より深い敬意を持たせ、信仰心を高めることが可能となる。
【手続補正４】
【補正対象書類名】明細書
【補正対象項目名】０００７
【補正方法】変更
【補正の内容】
【０００７】
実施形態１
以下、図面に従って実施例を説明する。図１に示される短冊様式によるものの場合、短冊板２に収納溝３を設け、短冊板２に鬼面１を添付した形体で構成される。鬼面１には、表面に炭素を主成分とする皮膜を作る、鬼瓦の伝統的な製法の燻し瓦製法が施されている。短冊板２の素材が木材である場合、収納溝３は木工機械による切削加工で形成される。その後収納溝３に覆い被せる状態で短冊板２に鬼面１を添付することにより、御札・御守りを保護する収納部が形成される。        
【手続補正５】
【補正対象書類名】明細書
【補正対象項目名】０００８
【補正方法】変更
【補正の内容】
【０００８】
図２は図１の背面図である。御札・御守りが鬼面１よりも大きな場合については、短冊板２の背面に断面コ字状の保持部材７を貼り付け形成される収納部を設け、そこへ御札・御守りを保管することとする。背面には壁掛け孔４が機械切削により設けられ、壁面に釘や金具を取り付け、壁掛け孔４と連結させることにより、壁面に設置することが可能となる。また、床面に設置する場合においては自立孔５・自立棒６を用い、機械加工で短冊板２が貫通しない程度に孔開けした自立孔５に、設置する際適当な角度に傾く為の長さに切断された自立棒６を差し入れて使用する。
【手続補正６】
【補正対象書類名】明細書
【補正対象項目名】０００９
【補正方法】変更
【補正の内容】
【０００９】
実施形態２
図３に見られるような額縁様式の場合、額１０の裏板９に間板８を貼り付け、間板８に覆い被さる状態で鬼面１を添付して収納部を形成している。その後該間板８の切欠によって形成される収納部に御札・御守りを入れ鬼面１・間板８を取り付けた裏板９を額１０に額装する。
【手続補正７】
【補正対象書類名】明細書
【補正対象項目名】００１１
【補正方法】変更
【補正の内容】
【００１１】
１：鬼面、２：短冊板、３：収納溝
４：壁掛け孔、５：自立孔、６：自立棒、７：断面コ字状の保持部材
８：間板、９：裏板、１０：額